(57)【要約】      （修正有）【課題】不正な遊技が行われていることを迅速に、且つ、確実に判別することができる技術を提供する。【解決手段】第１の検出器１０５は、支持部材に対する第１の開閉部材の開閉状態を検出する、第２の検出器１０６は、第１の開閉部材に対する第２の開閉部材の開閉状態を検出する。制御回路１３１は、第１の検出器の検出信号が第１の開閉部材が開状態にあることを示した場合には第１の報知態様の報知を行い、第２の検出器１０６の検出信号が第２の開閉部材が開状態にあることを示した場合には、第２の報知態様の報知を行う。【選択図】図２
2008048862.tif 000002
【特許請求の範囲】
【請求項１】
外枠と、前記外枠に対して開閉可能な内枠と、前記内枠に対して開閉可能なガラス扉とを備える遊技機であって、
前記外枠に対する前記内枠の開閉状態を検出して枠開閉検出信号を出力する枠開閉検出器と、
前記内枠に対する前記ガラス扉の開閉状態を検出して扉開閉検出信号を出力する扉開閉検出器と、
表示装置、音発生装置及び光発生装置のうちの少なくとも一つにより構成される報知装置と、
前記報知装置を制御する報知制御回路を有し、
前記報知制御回路は、前記扉開閉検出信号が前記ガラス扉が閉状態にあることを示し、前記枠開閉検出信号が前記内枠が開状態にあることを示した場合には、前記報知装置により第１の報知態様の報知が行われるように前記報知装置を制御し、前記枠開閉検出信号が前記内枠が閉状態にあることを示し、前記扉開閉検出信号が前記ガラス扉が開状態にあることを示した場合には、前記報知装置により前記第１の報知態様と異なる第２の報知態様の報知が行われるように前記報知装置を制御する、
ことを特徴とする遊技機。
【発明の詳細な説明】
【技術分野】
【０００１】
本発明は、パチンコ機等の遊技機に関し、特に、扉や枠等の開閉部材が開いている（開状態にある）ことを報知することによって不正な遊技を防止する技術に関する。
【背景技術】
【０００２】
遊技機は、点検等を行うために、開閉可能な開閉部材を有している。例えば、パチンコ機では、外枠に対して開閉可能な内枠と、内枠に対して開閉可能なガラス扉を有している。内枠は、例えば、遊技機の裏側の状態を点検する時等に開けられる。また、ガラス扉は、遊技領域等を点検する時等に開けられる。
遊技機では、このような内枠やガラス扉が開放されて、不正な遊技が行われることがある。例えば、内枠を開け、遊技機の裏側に設けられている制御回路を不正に動作させあるいは不正な制御回路に取り替えることによって不正に遊技球を獲得する不正な遊技、また、ガラス扉を開け、遊技領域に設けられている始動口や入賞口に不正に遊技媒体を投入することによって不正に遊技球を獲得する不正な遊技が行われることがある。このため、遊技機の内枠やガラス扉が開放されたことを監視する必要がある。
従来、遊技機の内枠あるいはガラス扉が開放されたことを監視する技術が、特開平６−３１５５６４号公報（特許文献１参照）に記載されている。特開平６−３１５５６４号公報に記載の技術は、外枠に対する内枠の開閉状態を検出する枠開閉検出器、内枠に対するガラス扉の開閉状態を検出する扉開閉検出器を各遊技機に設け、各遊技機に設けられている枠開閉検出器や扉開閉検出器の検出信号を外部端子板を介して監視装置に出力し、監視装置は、各遊技機の外部端子板から出力された検出信号に基づいて、内枠あるいはガラス扉が開放されている遊技機を判別するものである。
【特許文献１】特開平６−３１５５６４号公報
【発明の開示】
【発明が解決しようとする課題】
【０００３】
特開平６−３１５５６４号公報に記載されている技術では、監視装置は、ガラス扉あるいは内枠が開放されている遊技機（いずれかの開閉部材が開放されている遊技機）を判別する。この場合、遊技店の係員等は、監視装置によって判別された遊技機の状態を監視カメラで撮像した画像によって、あるいは、判別された遊技機の場所まで行って直接目視することによって、当該遊技機で不正な遊技が行われている否かを判別する。このため、遊技店の係員等は、不正な遊技が行われていることを迅速に確認することができない。
ここで、パチンコ機のように遊技球を遊技領域に発射する弾球遊技機では、遊技領域に、遊技球の移動方向を変えるための釘が配設されている。そして、遊技領域に発射された遊技球が釘に当たることによって釘がへたると、釘によって形成されている通過間隔が狭くなり、遊技球が通り難くなる。このため、遊技球が数珠つなぎにつまることが頻繁に発生する。遊技球が遊技領域につまった場合には、遊技店の係員等は、ガラス扉を開け、遊技領域につまっている遊技球を取り除く作業や釘を調整する作業等を行う。このように、営業時間中において、通常の作業の中で（不正な遊技を行うことを目的とすることなく）、頻繁にガラス扉が開放される。また、島設備から遊技機への遊技球の補給系で球詰まりが発生することがある。この場合には、遊技店の係員等は、内枠を開けて作業を行う。しかしながら、営業時間中において、遊技球の補給系で球詰まりが発生することは稀である。すなわち、営業時間中に内枠が開放された場合には、ガラス扉が開放された場合に比べて不正な遊技が行われる虞が非常に高い。
特開平６−３１５５６４号公報に記載されている技術では、監視装置は、ガラス扉あるいは内枠が開放されている遊技機（いずれかの開閉部材が開放されている遊技機）を判別しているが、ガラス扉が開放されている遊技機と内枠が開放されている遊技機を区別して判別していない。このため、従来の技術では、遊技店の係員等は、不正な遊技が行われる虞が低い遊技機（ガラス扉が開放されている遊技機）及び不正な遊技が行われる虞が高い遊技機（内枠が開放されている遊技機）に対して、同じ注意力を持って不正な遊技が行われているか否かを判別する必要がある。この場合、遊技店の係員等の注意力が散漫となり、不正な遊技が行われていることを確実に判別することができなくなる虞がある。
本発明は、このような点に鑑みて創案されたものであり、不正な遊技が行われていることを迅速に、且つ、確実に判別することができる技術を提供することを目的とする。
【課題を解決するための手段】
【０００４】
本発明の第１発明は、請求項１に記載されたとおりの遊技機である。なお、本発明の遊技機は、好適には遊技球を用いるパチンコ機等の弾球遊技機として構成されるが、これ以外の種々の型式の遊技機として構成可能である。
本発明は、外枠と、外枠に対して開閉可能な内枠と、内枠に対して開閉可能なガラス扉を備える遊技機を対象とする。
本発明では、外枠に対する内枠の開閉状態を検出し、内枠の開閉状態を示す枠開閉検出信号を出力する枠開閉検出器、内枠に対するガラス扉の開閉状態を検出し、ガラス扉の開閉状態を示す扉開閉検出信号を出力する扉開閉検出器を有している。枠開閉検出器および扉開閉検出器は、内枠及びガラス扉の開閉状態を検出することができればよく、種々の型式の検出器を用いることができる。例えば、機械式スイッチ等が用いられる。
また、表示装置、音発生装置及び光発生装置のうちの少なくとも一つにより構成される報知装置と、報知装置を制御する報知制御回路を有している。表示装置、音発生装置、光発生装置および報知制御回路は、遊技機に設けられている遊技演出用の表示装置、音発生装置、光発生装置およびこれらの装置を制御する制御回路を用いるのが好ましい。
報知制御回路は、扉開閉検出信号がガラス扉が閉状態にあることを示し、枠開閉検出信号が内枠が開状態にあることを示した場合には、報知装置により第１の報知態様の報知が行われるように報知装置を制御する。また、報知制御回路は、枠開閉検出信号が内枠が閉状態にあることを示し、扉開閉検出信号がガラス扉が開状態にあることを示した場合には、報知装置により第２の報知態様の報知が行われるように報知装置を制御する。ここで、報知装置の種類、第１の報知態様の報知及び第２の報知態様の報知の形式、報知期間等は、遊技点の係員等が、内枠が開状態となったこと（開放されたこと）あるいはガラス扉が開状態となったこと（開放されたこと）を判別することができればよく、適宜設定することができる。
本発明では、内枠あるいはガラス扉が開放されると、遊技機に設けられている報知装置により報知が行われる。このため、遊技店の係員等は、遊技機に対応して設けられている報知装置による報知を確認することにより、当該遊技機の内枠あるいはガラス扉が開放されていることを迅速に判別することができる。
さらに、本発明では、内枠が解放された時には報知装置により第１の報知態様の報知が行われ、ガラス扉が開放された時には報知装置により第２の報知態様の報知が行われる。このため、遊技店の係員等は、遊技機に対応して設けられている報知装置による報知の報知態様を確認することにより、当該遊技機の内枠が開放されているのかあるいはガラス扉が開放されているのかを判別することができ、内枠の開放時及びガラス扉の開放時それぞれに対応して適切に対処することができる。したがって、遊技店の係員等は、不正な遊技が行われていることを確実に判別することができる。
なお、遊技機に対応する報知装置により内枠あるいはガラス扉が開放されていることを示す報知が行われた場合、当該遊技機の近傍にいる遊技者が当該遊技機に注目する。これにより、当該遊技機で不正な遊技が行われるのを抑制する効果を期待することができる。
【発明の効果】
【０００５】
請求項１に記載の遊技機を用いることにより、遊技店の係員等は、不正な遊技が行われていることを迅速に、且つ、確実に判別することができる。
【発明を実施するための最良の形態】
【０００６】
以下に、本発明をパチンコ機として構成した実施の形態を、図面を参照して説明する。図１は、パチンコ機１００の全体を示す斜視図である。パチンコ機１００は、本発明の「遊技機」の一例である。
図１に示すように、パチンコ機１００は、外枠１０１、内枠（前面枠とも呼ばれる）１０２、遊技盤１０３、ガラス扉１０４等を主体にして構成されている。内枠１０２は、パチンコ機１００の前方（遊技者側）から見て左側縁部が、ヒンジ機構（図示省略）により外枠１０１に対して開閉可能に取り付けられている。遊技盤１０３は、内枠１０２に取り付けられている。ガラス扉１０４は、パチンコ機１００の前方から見て左側縁部が、ヒンジ機構により内枠１０２に対して開閉可能に取り付けられている。
支持部１０１は「支持部材」に対応し、内枠１０２は「第１の開閉部材」に対応し、ガラス扉１０４は「第２の開閉部材」に対応する。
【０００７】
なお、図１は、内枠１０２が外枠１０１に対して開いており（開状態となっており）、ガラス扉１０４が内枠１０２に対して開いている状態が示されている。
パチンコ機１００の裏側には各種の基板が基板ボックスに収容された状態で配設されている。基板としては、例えば、主制御基板、副制御基板、払出制御基板、外部端子板、電源基板等が用いられる。なお、副制御基板に表示装置の制御機能を有する制御回路が配設されていない場合には、表示制御基板が用いられる。ここで、近年、資源の有効利用が要望されている。このため、機種によって仕様が異なる可能性が高い主制御基板や副制御基板は遊技盤１０３の裏側に配設され、異なる機種に対して共通に使用可能な払出制御基板や、外部に情報を出力するための外部端子板、電源基板等は内枠１０２の裏側に配設されている。各基板をこのように配設することにより、遊技盤１０３のみを交換することで機種変更に対処することができ、内枠１０２や払出制御基板等の資源を有効に利用することができる。
【０００８】
また、内枠１０２には、外枠１０１に対する内枠１０２の開閉状態を検出し、内枠１２０の開閉状態を示す枠開閉検出信号を出力する枠開閉検出器１０５、内枠１０２に対するガラス扉１０４の開閉状態を検出し、ガラス扉１０４の開閉状態を示す扉開閉検出信号を出力する扉開閉検出器１０６が取り付けられている。本実施の形態では、枠開閉検出器１０５及び扉開閉検出器１０６として、固定接点と可動接点を有するスイッチが用いられている（図６参照）。なお、スイッチとしては、外枠１０１あるいはガラス扉１０４との当接によって可動接点が移動する機械式スイッチ等の種々のスイッチを用いることができる。
枠開閉検出器１０５は「第１の検出器」に対応し、扉開閉検出器１０６は「第２の検出器」に対応する。
【０００９】
次に、本発明の第1の実施の形態を、図２に示す概略ブロック図を用いて説明する。
本実施の形態のパチンコ機は、基板と、遊技用機器と、検出器を備えている。基板としては、主制御基板１１０、中継端子板１２０、副制御基板１３０、払出制御基板１４０、外部端子板１５０等が用いられている。遊技用機器としては、特別図柄を用いて抽選結果を表示する特別図柄表示装置１６１、装飾図柄を用いて演出表示等を行う装飾図柄表示装置（表示装置）１６２、遊技者に遊技球を払い出す払出装置１６３、スピーカ（音発生装置）１６４、ＬＥＤ等のランプ（光発生装置）１６５等が用いられている。検出器としては、遊技球が始動ゲートを通過したことあるいは始動入賞口に入球したことを検出して始動球検出信号を出力する始動球検出器１０７、遊技球が入賞口に入球したことを検出して入賞球検出信号を出力する入賞球検出器１０８、前述した内枠１０２の開閉状態を示す枠開閉検出信号を出力する枠開閉検出器１０５、ガラス扉１０４の開閉状態を示す扉開閉検出信号を出力する扉開閉検出器１０６等が用いられている。
なお、図２には図示していないが、本実施の形態は、これ以外の種々の基板、遊技用機器、検出器が設けられている。
【００１０】
主制御基板１１０には、主制御回路１１１、ＲＯＭやＲＡＭを含む記憶回路１１２等が配設されている。
主制御基板１１０には、端子１１０ａ〜１１０ｇ等が設けられている。入力端子１１０ｂ、１１０ｃ、１１０ｆ、１１０ｇは、それぞれ、始動球検出器１０７、入賞球検出器１０８、払出制御基板１４０の出力端子１４０ｇ、１４０ｈに接続されている。また、出力端子１１０ａ、１１０ｄは、それぞれ、特別図柄表示装置１６１、中継端子板１２０を介して副制御基板１３０の入力端子１３０ｄに接続されている。入出力端子１１０ｅは、払出制御基板１４０の入出力端子１４０ｂに接続されている。
主制御回路１１１は、入力信号と、記憶回路１１２に書き込まれている情報（例えば、制御プログラムや各種の乱数発生プログラム等のプログラムや制御データ等の記憶情報）に基づいて主制御信号を出力する。
例えば、主制御回路１１１は、始動球検出器１０７から端子１１０ｂを介して始動球検出信号が入力されると、当たり判定用乱数を読み取り、読み取った当たり判定用乱数が当たり値と一致するか否かを判定する（抽選手段により抽選を行う）。また、変動表示時間判定用乱数を読み取る。そして、表示装置駆動信号を主制御信号として、出力端子１１０ａを介して特別図柄表示装置１６１に出力する。これにより、特別図柄表示装置１６１には、特別図柄を用いて抽選結果が表示される。例えば、当たり判定用乱数が当たり値と一致する場合（抽選結果が当たりである場合）には、特別図柄表示装置１６１には、特別図柄が、変動表示時間判定用乱数に対応する変動表示時間の間変動表示された後、当たり特別図柄が停止表示される。一方、当たり判定用乱数が当たり値と一致しない場合（抽選結果がはずれである場合）には、特別図柄表示装置１６１には、特別図柄が、変動表示時間判定用乱数に対応する変動表示時間の間変動表示された後、はずれ特別図柄が停止表示される。
特別図柄表示装置１６１としては、処理負担が軽いＬＥＤ等により構成される表示装置が用いられる。
【００１１】
さらに、主制御回路１１１は、抽選結果と変動表示時間（当たり判定用乱数と変動表示時間判定用乱数）を示す主コマンド信号を主制御信号として、出力端子１１０ｄを介して副制御回路１３１に出力する。
なお、コマンド信号は、共通のバスを介して伝送され、コマンド信号以外の制御信号は、専用の信号線を介して伝送される。図２では、太線がバスである。
また、主制御回路１１１は、当たり判定用乱数が当たり値と一致した場合（抽選結果が当たりである場合）には、変動表示時間経過後、大入賞口を開閉する大入賞口開閉部材を開制御する大入賞口制御信号を主制御信号として出力し、遊技者に有利な大当たり遊技状態を発生させる。同時に、大当たり遊技状態に対応する演出を行うことを指示する主コマンド信号を主制御信号として、出力端子１１０ｄを介して副制御回路１３１に出力する。大当たり遊技状態は、設定時間が経過したこと、あるいは、設定数の遊技球が大入賞口に入球したことにより終了する。
また、主制御回路１１１は、端子１１０ｃに入賞球検出信号が入力されると、所定数の遊技球を払い出すことを指示する主コマンド信号を主制御信号として、端子１１０ｅを介して払出制御回路１４１に出力する。
主制御回路１１１は、これ以外にも種々の制御を行う。
【００１２】
ここで、本実施の形態では、内枠１０２あるいはガラス扉１０４が開放されている（開状態にある）ことを遊技店の係員等に迅速に知らせ、不正な遊技が行われていることを早期に判別可能とするために、遊技機の内枠１０２あるいはガラス扉１０４が開放されている時には、内枠１０２あるいはガラス扉１０４が開放されていることを遊技機に設けられている報知装置により報知する。
また、内枠１０２あるいはガラス扉１０４のいずれが開放されているかを遊技店の係員等に知らせ、遊技店の係員等が、内桑１０２の開放時あるいはガラス扉１０４の開放時それぞれに対応して適切に対処することができるようにするために、内枠１０２が開放されている時には報知装置により第１の報知態様の報知を行い、ガラス扉１０４が開放されている時には報知装置により第１の報知態様と異なる第２の報知態様の報知を行う。
なお、前述したように、営業時間中において、内枠１０２が開放された場合には、ガラス扉１０４が開放された場合より、不正な遊技が行われる虞が高い。このため、本実施の形態では、内枠１０２が開いていることを優先的に報知する。すなわち、内枠１０２とガラス扉１０４が共に開放されている時には、報知装置により第１の報知態様の報知を行う。
また、本実施の形態では、内枠１０２が開放されていることを知らせる第１の報知態様の報知、ガラス扉１０４が開放されていることを知らせる第２の報知態様の報知を行う報知装置として、遊技機に設けられている装飾図柄表示装置（表示装置）１６２、スピーカ（音発生装置）１６４、ランプ（光発生装置）１６５のうちの少なくとも一つを用いている。なお、これ以外にも、例えば、遊技機に対応して設けられている呼出ランプ等を報知装置として用いることもできる。
【００１３】
本実施の形態では、報知装置による第１の報知態様の報知及び第２の報知態様の報知は以下のように行われる。
主制御回路１１１は、入力端子１１０ｆに入力される枠開閉検出信号と入力端子１１０ｇに入力される扉開閉検出信号に基づいて、内枠１０２の開閉状態及びガラス扉１０４の開閉状態を判別する。
そして、ガラス扉１０４が閉状態にあることを判別し、内枠１０２が開状態にあることを判別した場合（扉開閉検出信号がガラス扉１０４が閉状態にあることを示し、枠開閉検出信号が内枠１０２が開状態にあることを示していることを判別した場合）には、内枠１０２が開放されている（開状態にある）ことを報知することを指示する主コマンド信号、すなわち、第１の報知態様の報知を開始することを指示する主コマンド信号（以下、「第１報知開始主コマンド信号」という）を主制御信号として、出力端子１１０ｄを介して副制御回路１３１に出力する。
なお、ガラス扉１０４が開状態にあることを判別し、内枠１０２が開状態にあることを判別した場合（扉開閉検出信号がガラス扉１０４が開状態にあることを示し、枠開閉検出信号が内枠１０２が開状態にあることを示していることを判別した場合）にも、第１報知開始主コマンド信号を主制御信号として、出力端子１１０ｄを介して副制御回路１３１に出力する。
第１報知開始主コマンド信号を出力した後、ガラス扉１０４が閉状態にあることを判別し、内枠１０２が閉状態にあることを判別した場合（扉開閉検出信号がガラス扉１０４が閉状態にあることを示し、枠開閉検出信号が内枠１０２が閉状態にあることを示していることを判別した場合）には、第１の報知態様の報知を終了することを指示する主コマンド信号（以下、「第１報知終了主コマンド信号」という）を主制御信号として、出力端子１１０ｄを介して副制御回路１３１に出力する。
【００１４】
また、内枠１０２が閉状態にあることを判別し、ガラス扉１０４が開状態にあることを判別した場合（枠開閉検出信号が内枠１０２が閉状態にあることを示し、扉開閉検出信号がガラス扉１０４が開状態にあることを示していることを判別した場合）には、ガラス扉１０４が開放されている（開状態にある）ことを報知することを指示する主コマンド信号、すなわち、第２の報知態様の報知を開始することを指示する主コマンド信号（以下、「第２報知開始主コマンド信号」という）を主制御信号として、出力端子１１０ｄを介して副制御回路１３１に出力する。
なお、第１報知開始主コマンド信号を出力した後に、ガラス扉１０４が開状態にあることを判別し、内枠１０２が閉状態にあることを判別した場合にも、第２報知開始主コマンド信号を主制御信として、出力端子１１０ｄを介して副制御回路１３１に出力する。この場合、第２報知開始主コマンド信号は、第１報知終了主コマンド信号でもある。
第２報知開始主コマンド信号を出力した後、ガラス扉１０４が閉状態にあることを判別し、内枠１２０が閉状態にあることを判別した場合（扉開閉検出信号がガラス扉１０４が閉状態にあることを示し、枠開閉検出信号が内枠１０２が閉状態にあることを示していることを判別した場合）には、第２の報知態様の報知を終了することを指示する主コマンド信号（以下、「第２報知終了主コマンド信号」という）を主制御信号として、出力端子１１０ｄを介して副制御回路１３１に出力する。
あるいは、第２報知開始主コマンド信号を出力した後、ガラス扉１０４が開状態あるいは閉状態にあることを判別し、内枠１２０が開状態にあることを判別した場合には、第１報知開始主コマンド信号を主制御信号として、出力端子１１０ｄを介して副制御回路１３１に出力する。この場合、第１報知主コマンド信号は、第２報知終了主コマンド信号でもある。
【００１５】
なお、各報知態様の報知を開始することを指示する主コマンド信号を出力すると、当該主コマンド信号は、各報知態様の報知を終了することを指示する主コマンド信号を出力するまで保持されるように構成することもできる。
この場合、主制御回路１１１は、報知態様の報知を開始することを指示する主コマンド信号を副制御回路１３１に出力した後、当該報知態様の報知を行う条件が満足されなくなると当該報知態様の報知を終了することを指示する主コマンド信号を副制御回路１３１に出力し、また、当該報知態様の報知より優先順位が高い報知態様の報知を行う条件が満足されると、当該優先順位が高い報知態様の報知を開始することを指示する主コマンド信号を副制御回路１３１に出力する。
例えば、第２の報知態様に係る第２報知開始主コマンド信号に続けて、第２報知態様の報知より優先順位が高い第１の報知態様の報知に係る第１報知開始主コマンド信号を副制御回路１３１に出力した場合を考える。この場合、第２報知終了主コマンド信号が出力されていないため、副制御回路１３１は、第２報知主コマンド信号を記憶している状態で、第１の報知態様の報知を行っている。
この状態で、ガラス扉１０４が開状態にあることを判別し、内枠１０２が閉状態にあることを判別した場合には、第１の報知態様の報知を行う条件が満足されなくなるため、主制御回路１１は、第１報知終了主コマンド信号を副制御回路１３１に出力する。副制御回路１３１は、第１報知終了主コマンド信号が入力されると、第１の報知態様の報知を終了するとともに、第１報知開始主コマンド信号の記憶を解除する。この時、副制御回路１３１は、第２報知開始主コマンド信号を記憶しているため、第２の報知態様の報知を開始（再開）する。その後、ガラス扉１０４が閉状態にあることを判別し、内枠１０２が閉状態にあることを判別した場合には、第２の報知態様の報知を行う条件が満足されなくなるため、第２報知終了主コマンド信号が副制御回路１３１に出力される。これにより、第２の報知態様の報知が終了するとともに、第２報知開始主コマンド信号の記憶が解除される。
【００１６】
内枠１０２が開放されていることを知らせる第１の報知態様の報知やガラス扉１０４が開放されていることを知らせる第２の報知態様の報知の形態（例えば、報知装置の種類、報知方法、報知期間等）は適宜設定することができる。
例えば、スピーカ１６４を報知装置として用いる場合には、第１の報知態様の報知と第２の報知態様の報知で異なる音を発生させる態様、異なるメロディを発生させる態様、異なるメッセージを発生させる態様等を用いることができる。例えば、第１の報知態様の報知では、スピーカ１６４から「ピンポーン」という音と「扉が開いています。」というメッセージを間欠的に発生させる態様を用い、第２の報知態様の報知では、「ピー」という音と「枠が開いています。」というメッセージを間欠的に発生させる態様を用いることができる。
また、ＬＥＤ等のランプ１６５を報知装置として用いる場合には、第１の報知態様の報知と第２の報知態様の報知で異なる周期で点滅点灯させる態様、異なる点灯色で点灯させる態様、異なる数のランプを点灯させる態様等を用いることができる。あるいは、第１の報知態様の報知では、遊技盤に設けられている装飾ランプ及び内枠に設けられている装飾ランプを全消灯させ、第２の報知態様の報知では、遊技盤に設けられている装飾ランプを全消灯させ、内枠に設けられている装飾ランプを全点灯させる態様を用いることができる。この場合には、遊技盤及び内枠の装飾ランプが消灯していることにより内枠が開放されていることを確認することができ、遊技盤の装飾ランプのみが消灯していることによりガラス扉が開放されていることを確認することができる。また、ガラス扉が開放されている時には、内枠に設けられている装飾ランプが点灯しているため、つまっている遊技球を取り除く作業や釘を調整する作業を容易に行うことができる。なお、第１の報知態様の報知と第２の報知態様の報知では、遊技盤に設けられている装飾ランプを全消灯させる態様あるいは遊技盤及び内枠に設けられている装飾ランプを全消灯させる態様を用いることもできる。この場合には、他の報知装置による報知と組み合わせることによって第１の報知態様の報知と第２の報知態様の報知を行う。
また、装飾図柄表示装置１６２を報知装置として用いる場合には、第１の報知態様の報知と第２の報知態様の報知で異なる画像やメッセージを表示する態様を用いることができる。例えば、第１の報知態様では、「扉が開いています。」というメッセージを黄色で表示する態様を用い、第２の報知態様の報知では、「枠が開いています。」というメッセージを赤色で表示する態様を用いることができる。
勿論、報知装置の数や報知態様を複数組み合わせることもできる。
【００１７】
また、報知装置により報知する報知期間も適宜設定することができる。
例えば、内枠１０２が開放されている期間（扉開閉検出信号の状態に関係なく、枠開閉検出信号が内枠１０２が開放されていることを示している間）を第１の報知態様の報知を行う報知期間、ガラス扉１０４のみが開放されている期間（枠開閉検出信号が内枠１０２が閉状態にあることを示し、扉開閉検出信号がガラス扉１０４が開状態にあることを示している間）を第２の報知態様の報知期間として設定することができる。
主制御回路１１１は、枠開閉検出信号が内枠１０２が開状態にあることを示していることを判別した時に、第１の報知態様の報知を開始することを決定し、第１報知開始主コマンド信号を副制御回路１３１に出力する。副制御回路１３１は、第１報知開始主コマンド信号が入力されると、第１の報知態様の報知を開始する。
そして、主制御回路１１１は、第１報知開始主コマンド信号を副制御回路１３１に出力した後、扉開閉検出信号がガラス扉１０４が閉状態にあることを示し、枠開閉検出信号が内枠１０２が閉状態にあることを示していることを判別した時に、第１の報知態様の報知を終了することを決定し、第１報知終了主コマンド信号を副制御回路１３１に出力する。副制御回路１３１は、第１報知終了主コマンド信号が入力されると、第１の報知態様の報知を終了する。
あるいは、主制御回路１１１は、第１報知開始主コマンド信号を副制御回路１３１に出力した後、扉開閉検出信号がガラス扉１０４が開状態にあることを示し、枠開閉検出信号が内枠１０２が閉状態にあることを示していることを判別した時に、第１の報知態様の報知を終了して第２の報知態様の報知を開始することを決定し、第２報知開始主コマンド信号を副制御回路１３１に出力する。副制御回路１３１は、第２報知開始主コマンド信号が入力されると、第２の報知態様の報知を開始する。
【００１８】
また、主制御回路１１１は、枠開閉検出信号が内枠１０２が閉状態にあることを示し、扉開閉検出信号がガラス扉１０４が開状態にあることを示していることを判別した時に、第２の報知態様の報知を開始することを決定し、第２報知開始主コマンド信号を副制御回路１３１に出力する。副制御回路１３１は、第２報知開始主コマンド信号が入力されると、第２の報知態様の報知を開始する。
そして、主制御回路１１１は、第２報知開始主コマンド信号を副制御回路１３１に出力した後、枠開閉検出信号が内枠１０２が閉状態にあることを示し、扉開閉検出信号がガラス扉１０４が閉状態にあることを示していることを判別した時に、第２の報知態様の報知を終了することを決定し、第２報知終了主コマンド信号を副制御回路１３１に出力する。副制御回路１３１は、第２報知終了主コマンド信号が入力されると、第２の報知態様の報知を終了する。
あるいは、主制御回路１１１は、第２報知開始主コマンド信号を副制御回路１３１に出力した後、枠開閉検出信号が内枠１０２が開状態にあることを示していることを判別した場合には、第２の報知態様の報知を終了して第１の報知態様の報知を開始することを決定し、第１報知開始主コマンド信号を副制御回路１３１に出力する。副制御回路１３１は、第１報知開始主コマンド信号が入力されると、第１の報知態様の報知を開始する。
【００１９】
ここで、内枠１０２を開けた後、直ちに枠開閉検出器１０５を不正に操作して、枠開閉検出信号が内枠１０２が閉じている（閉状態にある）ことを示すように設定した場合には、枠開閉検出信号が内枠１０２が開状態にあることを示している期間が非常に短くなる。この場合、第１の報知態様の報知が行われないか、あるいは、第１の報知態様の報知が単時間しか行われない。同様に、ガラス扉１０４を開けた後、直ちに扉開閉検出器１０６を不正に操作して、扉開閉検出信号がガラス扉１０４が閉じている（閉状態にある）ことを示すように設定した場合には、第２の報知態様の報知が行われないか、あるいは、第２の報知態様の報知が単時間しか行われない。
このように、枠開閉検出器１０５や扉開閉検出器１０６が不正に操作されて、第１の報知態様の報知や第２の報知態様の報知が行われないか、あるいは、短時間しか行われない場合には、内枠１０２やガラス扉１０４が開いていること（開状態にあること）を遊技店の係員等が判別することができない虞がある。
このため、枠開閉検出信号が内枠１０２が開状態にあることを示している間第１の報知態様の報知を行い、あるいは、枠開閉検出信号が内枠１０２が閉状態にあることを示し、扉開閉検出信号がガラス扉１０４が開状態にあることを示している間第２の報知態様の報知を行う場合には、内枠１０２やガラス扉１０４が開いた後に枠開閉検出器１０５や扉開閉検出器１０６が不正に操作されても、内枠１０２やガラス扉１０４が開いていることを遊技店の係員等が確実に判別することができるようにする対策を講じるのが好ましい。
本実施の形態では、内枠１０２やガラス扉１０４が開いた場合には、第１の報知態様の報知あるいは第２の報知態様の報知が少なくとも設定期間行われるように構成することによって、枠開閉検出器１０５や扉開閉検出器１０６が不正に操作されても、内枠１０２やガラス扉１０４が開いていることを遊技店の係員等が確実に判別することができるようにしている。
【００２０】
内枠１０２やガラス扉１０４が開いた場合には、第１の報知態様の報知あるいは第２の報知態様の報知を少なくとも設定期間行う一つの方法は、内枠１０２やガラス扉１０４が開いたことを判別し、第１の報知態様の報知あるいは第２の報知態様の報知を行うことを決定した場合には、内枠１０２やガラス扉１０４の開閉状態に関係なく、第１の報知態様の報知あるいは第２の報知態様の報知を少なくとも設定期間行う方法である。
第１の報知態様の報知あるいは第２の報知態様の報知の開始時における設定期間は「第１の設定期間」に対応する。
この場合、以下のように動作する。
主制御回路１１１は、枠開閉検出信号が内枠１０２が開いていることを示していることを判別した場合には、第１の報知態様の報知を行うことを決定し、第１報知開始主コマンド信号を副制御回路１３１に出力する。ここで、主制御回路１１１は、第１の報知態様の報知を行うことを決定した場合には、第１の設定期間経過するまでは第１の報知態様の報知を行う。例えば、枠開閉検出信号が内枠１０２が閉じていることを示し、扉開閉検出信号がガラス扉１０４が閉じていることを示していることを判別した場合、あるいは、枠開閉検出信号が内枠１０２が閉じていることを示し、扉開閉検出信号がガラス扉１０４が開いていることを示していることを判別した場合でも、第１の報知態様の報知を行う。
そして、第１の設定期間が経過した後は、枠開閉検出信号が内枠１０２が閉じていることを示し、扉開閉検出信号がガラス扉１０４が閉じていることを示していることを判別した場合には、第２の報知態様の報知を行うことを終了することを決定し、第１報知終了主コマンド信号を副制御回路１３１に出力する。なお、枠開閉検出信号が内枠１０２が閉じていることを示し、扉開閉検出信号がガラス扉１０４が開いていることを示していることを判別した場合には、第２の報知態様の報知を行うことを決定し、第２報知開始主コマンド信号を副制御回路１３１に出力する。
【００２１】
また、主制御回路１１１は、枠開閉検出信号が内枠１０２が閉じていることを示し、扉開閉検出信号がガラス扉１０４が開いていることを示していることを判別した場合には、第２の報知態様の報知を行うこと決定し、第２報知開始主コマンド信号を副制御回路１３１に出力する。ここで、主制御回路１１１は、第２の報知態様の報知を行うことを決定した場合には、第１の設定期間経過するまでは第２の報知態様の報知を行う。例えば、第１の設定期間内に、枠開閉検出信号が内枠１０２が閉じていることを示し、扉開閉検出信号が閉じていることを示していることを判別した場合でも、第２の報知態様の報知を行う。
そして、第１の設定期間が経過した後は、枠開閉検出信号が内枠１０２が閉じていることを示し、扉開閉検出信号がガラス扉１０４が閉じていることを示していることを判別した場合には、第２の報知態様の報知を行うことを終了することを決定し、第２報知終了主コマンド信号を副制御回路１３１に出力する。
なお、第２報知開始主コマンド信号を副制御回路１３１に出力してから前記第１の設定期間内あるいは前記第１の設定期間が経過した後に、枠開閉検出信号が内枠１０２が開いていることを示していることを判別した場合には、第１の報知態様の報知を行うことを決定し、第１報知開始主コマンド信号を副制御回路１３１に出力する。
【００２２】
内枠１０２やガラス扉１０４が開いた場合には、第１の報知態様の報知あるいは第２の報知態様の報知を少なくとも設定期間行う他の方法は、内枠１０２やガラス扉１０４が閉じたことを判別し、第１の報知態様の報知あるいは第２の報知態様の報知を終了することを決定した場合には、設定期間第１の報知態様の報知あるいは第２の報知態様の報知を継続した後に第１の報知態様の報知あるいは第２の報知態様の報知を終了するする方法である。
第１の報知態様の報知あるいは第２の報知態様の報知の終了時における設定期間は「第２の設定期間」に対応する。
この場合、以下のように動作する。
主制御回路１１１は、枠開閉検出信号が内枠１０２が開いていることを示していることを判別した場合には、第１の報知態様の報知を行うこと決定し、第１報知開始主コマンド信号を副制御回路１３１に出力する。
その後、枠開閉検出信号が内枠１０２が閉じていることを示し、扉開閉検出信号がガラス扉１０４が閉じていることを示していることを判別した場合には、第１の報知態様の報知を行うことを終了することを決定する。なお、枠開閉検出信号が内枠１０２が閉じていることを示し、扉開閉検出信号がガラス扉１０４が開いていることを示していることを判別した場合には、第２の報知態様の報知を行うことを決定する。
第１の報知態様の報知を行うことを終了することを決定した場合には、第１の報知態様の報知を第２の設定期間行った（継続した）後に第１の報知態様の報知を終了する。
第１の報知態様の報知を終了することを決定した時点から第２の設定期間経過した後に第１の報知態様の報知を終了する方法としては適宜の方法を用いることができる。例えば、第１の報知態様の報知を終了することを決定した時点から第２の設定期間経過した後に、第１報知終了主コマンド信号を主制御回路１１１から副制御回路１３１に出力する方法を用いることができる。あるいは、第１の報知態様の報知を終了することを決定した時点で第１報知終了主コマンド信号を主制御回路１１１から副制御回路１３１に出力し、副制御回路１３１は、第１報知終了主コマンド信号が入力されると、第２の設定期間経過した後に報知装置による第１の報知態様の報知を終了する方法を用いることができる。
【００２３】
また、主制御回路１１１は、枠開閉検出信号が内枠１０２が閉じていることを示し、扉開閉検出信号がガラス扉１０４が開いていることを示していることを判別した場合には、第２の報知態様の報知を行うことを決定し、第２報知開始主コマンド信号を副制御回路１３１に出力する。
そして、枠開閉検出信号が内枠１０２が閉じていることを示し、扉開閉検出信号がガラス扉１０４が閉じていることを示していることを判別した場合には、第２の報知態様の報知を行うことを終了することを決定する。なお、枠開閉検出信号が内枠１０２が開いていることを示していることを判別した場合には、第１の報知態様の報知を行うことを決定する。
第２の報知態様の報知を行うことを終了することを決定した場合には、第２の報知態様の報知を第２の設定期間行った（継続した）後に第２の報知態様の報知を終了する。
第２の報知態様の報知を終了することを決定した時点から第２の設定期間経過後に第２の報知態様の報知を終了する方法としては、適宜の方法を用いることができる。例えば、第２の報知態様の報知を終了することを決定した時点から第２の設定期間経過した後に、第２報知終了主コマンド信号を主制御回路１１１から副制御回路１３１に出力する方法を用いることができる。あるいは、第２の報知態様の報知を終了することを決定した時点で第２報知終了主コマンド信号を主制御回路１１１から副制御回路１３１に出力し、副制御回路１３１は、第２報知終了主コマンド信号が入力されると、第２の設定期間経過した後に報知装置による第２の報知態様の報知を終了する方法を用いることができる。
なお、主制御回路１１１は、報知装置により第１の報知態様の報知を行う場合あるいは報知装置により第２の報知態様の報知を行う場合には、遊技機での遊技を不能とする制御を行うように構成するのが好ましい。例えば、遊技球を遊技領域に発射する発射レバーの駆動回路を停止する制御を行い、あるいは、上皿に収容されている遊技球が発射位置に転送されるのを禁止する制御を行うように構成する。
【００２４】
以上のように、枠開閉検出信号と扉開閉検出信号に基づいて、第１の報知態様の報知あるいは第２の報知態様の報知を開始することを決定した場合には、第１の報知態様の報知を少なくとも第１の設定期間行うことにより、あるいは、枠開閉検出信号と扉開閉検出信号に基づいて、第１の報知態様あるいは第２の報知態様の報知を終了することを決定した場合には、第１の報知態様の報知あるいは第２の報知態様の報知を第２の設定期間継続した後に第１の報知態様の報知あるいは第２の報知態様の報知を終了することにより、枠扉開閉検出信号が内枠１０２が開いていることを示した後単時間で枠開閉検出信号が内枠１０２が閉じていることを示した場合、あるいは、扉開閉検出信号がガラス扉１０４が開いていることを示した後単時間で扉開閉検出信号がガラス扉１０４が閉じていることを示した場合でも、第１の報知態様の報知あるいは第２の報知態様の報知が少なくとも設定期間行われる。これにより、枠開閉検出器１０５や扉開閉検出器１０６が不正に操作された場合でも、遊技店の係員等は、第１の報知態様の報知あるいは第２の報知態様の報知を確実に確認することができ、不正な遊技が行われていることを確実に判別することができる。
なお、前述した第１の報知態様の報知あるいは第２の報知態様の報知の開始時に設定期間を設定する方法と終了時に設定する方法は、それぞれ単独で用いることもできるし、組み合わせて用いることもできる。また、これらの方法は省略することもできる。
【００２５】
副制御基板１３０には、副制御回路１３１、ＲＯＭやＲＡＭを含む記憶回路１３２、ＶＤＰ（ビデオディスプレイプロセッサ）（画像処理回路）１３３、音源ＩＣ１３４等が配設されている。
副制御基板１３０には、端子１３０ａ〜１１０ｄ等が設けられている。入力端子１３０ｄは、主制御基板１１０の出力端子１１０ｄが中継端子板１２０を介して接続されている。また、出力端子１３０ａ、１３０ｂ、１３０ｃは、それぞれ装飾図柄表示装置１６２、スピーカ１６４、ランプ１６５に接続されている。
副制御回路１３１は、主制御回路１１１から出力された主制御信号（主コマンド信号）と、記憶回路１３２に書き込まれている情報（例えば、制御プログラムや各種の乱数発生プログラム等のプログラムや制御データ等の記憶情報）に基づいて、副制御信号を出力する。
例えば、入力端子１３０ｄに入力された主コマンド信号で示される抽選結果情報が、抽選結果が当たりであることを示している場合（当たり判定用乱数が当たり値と一致する場合）には、当たり図柄用乱数を読み取るとともに、主コマンド信号で示される変動表示時間（変動表示時間判定用乱数で示される変動表示時間）に対応する当たり図柄変動パターン用乱数を読み取る。そして、読み取った当たり図柄用乱数と当たり図柄変動パターン用乱数により、装飾図柄表示装置１６２に表示する装飾図柄と変動パターンを決定する。一方、主コマンド信号が、抽選結果がはずれであることを示している場合（当たり判定用乱数が当たり値と一致しない場合）には、はずれ図柄判定用乱数を読み取るとともに、主コマンド信号で示される変動表示時間に対応するはずれ図柄変動パターン用乱数を読み取る。そして、読み取ったはずれ図柄用乱数とはずれ図柄変動パターン用乱数により、装飾図柄表示装置１６２に表示する装飾図柄と変動パターンを決定する。
そして、決定した装飾図柄（当たり図柄あるいははずれ図柄）を示す図柄情報と変動パターン（当たり図柄変動パターンあるいははずれ図柄変動パターン）を装飾図柄表示装置１６２に表示させるための表示制御信号をＶＤＰ１３３に出力する。
ＶＤＰ１３３は、入力された表示制御信号に基づいて、記憶回路から装飾図柄画像情報、キャラクタ画像情報や背景画像情報等を読み出し、読み出した各画像情報を、大きさや配設位置を調整しながら合成することによって表示画面に対応するビットマップデータを作成する。そして、作成したビットマップデータに基づいて装飾図柄表示装置１６２に制御信号を出力する。
装飾図柄表示装置１６２としては、種々の演出表示を行うことができる液晶表示装置等が用いられる。
【００２６】
また、決定した変動パターンに応じた音による演出を行うために、決定した変動パターンを示す変動パターン情報を含む副コマンド信号（音コマンド信号）を副制御信号として音源ＩＣ１３４に出力する。音源ＩＣ１３４は、音制御回路と音制御用記憶回路を有しており、入力された副コマンド信号（音コマンド信号）と、音制御用記憶回路に記憶されている情報に基づいてスピーカ１６４を駆動する音制御信号を出力し、変動パターンに対応した音をスピーカ１６４から発生させる。
また、決定した変動パターンに応じた光による演出を行うために、決定した変動パターンに応じてランプ１６５を制御するランプ制御信号を出力する。
なお、装飾図柄表示装置１６２での装飾図柄の変動表示の開始時点及び終了時点は、特別図柄表示装置１６１での特別図柄の変動表示の開始時点及び終了時点と一致している。
【００２７】
また、副制御回路１３１は、入力端子１３０ｄに、第１の報知態様の報知を行うことを指示する主コマンド信号あるいは第２の報知態様の報知を行うことを指示する主コマンド信号が入力されると、報知装置として設定されている装飾図柄表示装置１６２、スピーカ１６４、ランプ１６６のうちの少なくとも一つを制御し、内枠１０２が開放されていることを示す第１の報知態様の報知あるいはガラス扉１０４が開放されていることを示す第２の報知態様の報知を行う。
第１の報知態様および第２の報知態様の形式や報知期間については、前述したように適宜設定することができる。
【００２８】
払出制御基板１４０には、払出制御回路１４１、ＲＯＭやＲＡＭを含む記憶回路１４２等が配設されている。
払出制御基板１４０には、端子１４０ａ〜１４０ｈ等が設けられている。入出力端子１４０ｂは、主制御基板１１０の入出力端子１１０ｅに接続されている。出力端子１４０ａは、払出装置１６３に接続されている。入力端子１４０ｃ、１４０ｄは、それぞれ、枠開閉検出器１０５、扉開閉検出器１０６に接続されている。また、入力端子１４０ｃ、１４０ｄは、それぞれ、配線パターンを介して出力端子１４０ｅ、１４０ｆに接続されているとともに、出力端子１４０ｇ、１４０ｈに接続されている。出力端子１４０ｇ、１４０ｈは、主制御基板１１０の入力端子１１０ｆ、１１０ｇに接続されている。
払出制御回路１４１は、入出力端子１４０ｂに入力された主コマンド信号と、記憶回路１４２に書き込まれている情報に基づいて、出力端子１４０ａから払出制御信号を払出装置１６３に出力し、主コマンド信号で示される数の遊技球を払出装置１６３から払い出す。
【００２９】
外部端子板１５０は、端子１５０ａ〜１５０ｄ等を有している。入力端子１５０ａ、１５０ｂは、それぞれ、払出制御基板１４０の出力端子１４０ｅ、１４０ｆに接続されている。入力端子１５０ａ、１５０ｂは、それぞれ、フォトモスリレー１５１、１５２を介して出力端子１５０ｃ、１５０ｄに接続されている。フォトモスリレーは、フォトカプラを用いた回路であり、非接触の信号経路を形成する。フォトモスリレー１５１、１５２の詳細は、図６を参照して後述する。
外部端子板１５０の出力端子１５０ｃ、１５０ｄから出力される扉開閉検出信号、枠開閉検出信号は、ホールコンピュータ等の管理装置に出力される。
管理装置は、各遊技機の外部端子板１５０から出力される扉開閉検出信号、枠開閉検出信号に基づいて、ガラス扉１０４あるいは内枠１０２が開いている（開状態にある）遊技機を判別する。
【００３０】
本実施の形態では、内枠１０２の開閉状態を示す枠開閉検出信号を出力する枠開閉検出器１０５とガラス扉１０４の開閉状態を示す扉開閉検出信号を出力する扉開閉検出器１０６を遊技機に設け、枠開閉検出信号と扉開閉検出信号を、遊技機に設けられている払出制御基板１４０及び外部端子板１５０を介して外部に出力する、
そして、枠開閉検出信号が内枠１０２が開いている（開状態にある）ことを示していることを判別した場合には、遊技機に設けられている報知装置（装飾図柄表示装置１６２、スピーカ１６４、ランプ１６５、呼出ランプ等）により、内枠１０２が開いていることを示す第１の報知態様の報知を行い、枠開閉検出信号が内枠１０２が閉じていることを示し、扉開閉検出信号がガラス扉１０４が開いていることを示していることを判別した場合には、遊技機に設けられている報知装置により、ガラス扉１０４が開いていることを示す第２の報知態様の報知を行う。
これにより、遊技店の係員等は、各遊技機に対応して設けられている報知装置の報知を確認することによって、内枠１０２あるいはガラス扉１０４が開いている遊技機を迅速に判別することができ、不正な遊技が行われている遊技機を迅速に判別することができる。
また、遊技店の係員等は、遊技機に対応して設けられている報知装置により第１の報知態様の報知が行われているか第２の報知態様の報知が行われているかを確認することによって、内枠１０２が開いているかガラス扉１０４が開いているかを判別することができる。これにより、内枠１０２の開放時及びガラス扉１０４の開放時それぞれに対応して適切に対処することができるため、不正な遊技が行われていることを確実に判別することができる。
さらに、遊技機に対応して設けられている報知装置により報知が行われることにより、当該遊技機の周囲にいる遊技者の注目が集まる。これにより、当該遊技機での不正な遊技を効果的に防止することができる。
また、内枠１０２が開いていることを優先的に報知するため、不正な遊技が行われていることをより確実に判別することができる。
また、第１の報知態様の報知あるいは第２の報知態様の報知を少なくとも設定期間行うように構成している。これにより、枠開閉検出器１０５あるいは扉開閉検出器１０６が不正に操作された場合でも、遊技店の係員等は、内枠１０２あるいはガラス扉１０４が開いていることを確実に確認することができる。
【００３１】
次に、第２の実施の形態を図３に示す。第１の実施の形態では、枠開閉検出信号および扉開閉検出信号を専用の信号線を介して払出制御基板１４０から主制御基板１１０に伝送したが、本実施の形態では、共通の信号線を介して伝送している。
第２の実施の形態は、主制御基板２１０、払出制御基板２４０が第１の実施の形態の主制御基板１１０、払出制御基板１４０と異なっており、他の構成は同じである。
主制御基板２１０は、第1の実施の形態の主制御基板１１０の端子１１０ａ〜１１０ｅと同様の端子２１０ａ〜２１０ｅを有しているが、第１の実施の形態の主制御基板１１０の端子１１０ｆ、１１０ｇに対応する端子は有していない。
払出制御基板２４０は、第1の実施の形態の払出制御基板１４０の端子１４０ａ〜１４０ｆと同様の端子２４０ａ〜２４０ｆを有しているが、第１の実施の形態の払出制御基板１４０の端子１４０ｇ、１４０ｇに対応する端子は有していない。なお、入力端子２４０ｃ、２４０ｄは、配線パターンを介して出力端子２４０ｅ、２４０ｆに接続されているとともに、払出制御回路２４１に接続されている。
【００３２】
払出制御回路２４１は、入出力端子２４０ｂに入力された主コマンド信号と、記憶回路２４２に書き込まれている情報に基づいて、出力端子２４０ａから払出制御信号を払出装置１６３に出力し、主コマンド信号で示される数の遊技球を払出装置１６３から払い出す。
また、払出制御回路２４１は、枠開閉検出信号と扉開閉検出信号を入力し、内枠１０２の開閉状態及びガラス扉１０４の開閉状態を示すコマンド信号を、入出力端子２４０ｂから主制御回路２１１に出力する。払出制御回路２４１から主制御回路１１１に出力するコマンド信号の形式は、主制御回路２１１が内枠１０２の開閉状態及びガラス扉１０４の開閉状態を判別することができればよく、種々の形式を用いることができる。
主制御回路２１１は、入出力端子２１０ｅに入力されたコマンド信号に基づいて、内枠１０２の開閉状態及びガラス扉１０４の開閉状態を判別する。そして、内枠１０２の開閉状態及びガラス扉１０４の開閉状態の判別結果に基づいて、第１の報知態様の報知の開始、第１の報知態様の報知の終了、第２の報知態様の報知の開始、第２の報知態様の報知の終了等を決定し、第１報知開始主コマンド信号、第１報知終了主コマンド信号、第２報知開始主コマンド信号、第２報知終了主コマンド信号等を主制御信号として、出力端子２１０ｄを介して副制御回路１３１に出力する。
【００３３】
本実施の形態では、枠開閉検出信号と扉開閉検出信号を払出制御回路２４１に入力し、払出制御回路２４１から主制御回路２１１に、内枠１０２の開閉状態及びガラス扉１０４の開閉状態を示すコマンド信号の形態で伝送している。この場合、コマンド信号の信号径路としては、主コマンド信号を主制御回路２１１から払出制御回路２４１に伝送する信号経路（バス）を用いることができる。これにより、主制御基板２１０や払出制御基板２４０の端子の数を増加することなく、内枠１０２の開閉状態及びガラス扉１０４の開閉状態を示すコマンド信号、すなわち、枠開閉検出信号及び扉開閉検出信号を主制御回路２１１に伝送することができる。
【００３４】
次に、第３の実施の形態を図４に示す。第１の実施の形態では、枠開閉検出信号および扉開閉検出信号を払出制御基板及び外部端子板を介して外部に出力したが、本実施の形態では、枠開閉検出信号および扉開閉検出信号を主制御基板及び外部端子板を介して外部に出力している。
第３の実施の形態は、主制御基板３１０、払出制御基板３４０が第１の実施の形態の主制御基板１１０、払出制御基板１４０と異なっており、他の構成は同じである。
払出制御基板３４０は、第１の実施の形態の払出制御基板１４０の端子１４０ａ、１４０ｂと同様の端子３４０ａ、３４０ｂが設けられているが、端子１４０ｃ〜１４０ｈに対応する端子は設けられていない。払出制御回路３４１は、第１の実施の形態の払出制御回路１４１と同様の処理を実行する。
主制御基板３１０は、第１の実施の形態の主制御基板１１０の端子１１０ａ〜１１０ｅと同様の端子３１０ａ〜３１０ｅが設けられているが、端子１１０ｆ、１１０ｇに対応する端子は設けられてなく、また、端子３１０ｈ〜３１０ｋが設けられている。入力端子３１０ｈ、３１０ｉは、それぞれ、枠開閉検出器１０５、扉開閉検出器１０６が接続されている。また、入力端子３１０ｈ、３１０ｉは、出力端子３１０ｊ、３１０ｋに接続されているとともに、主制御回路３１１に接続されている。
主制御回路３１１は、始動球検出信号や入賞球検出信号と、記憶回路３１２に記憶されている情報に基づいて、主コマンド信号を主制御信号として副制御回路１３１、払出制御回路３４１に出力する。
また、主制御回路３１１は、入力端子３１０ｈ及び３１０ｉに入力された枠開閉検出信号及び扉開閉検出信号に基づいて、内枠１０２の開閉状態及びガラス扉１０４の開閉状態を判別する。そして、前述した第１の実施の形態の主制御回路１１１と同様の方法を用いて、判別した内枠１０２の開閉状態及びガラス扉１０４の開閉状態に基づいて、第１の報知態様の報知の開始、第１の報知態様の報知の終了、第２の報知態様の報知の開始、第２の報知態様の報知の終了等を決定し、副制御回路３１に種々の主コマンド信号を出力する。
【００３５】
次に、第４の実施の形態を図５に示す。第３の実施の形態では、枠開閉検出信号および扉開閉検出信号を主制御基板及び外部端子板を介して外部に出力したが、本実施の形態では、枠開閉検出信号および扉開閉検出信号を副制御基板及び外部端子板を介して外部に出力している。
第４の実施の形態は、主制御基板２１０、副制御基板４３０が第３の実施の形態の主制御基板２１０、副制御基板１３０と異なっており、他の構成は同じである。
主制御基板２１０は、第２の実施の形態の主制御基板２１０と同様の構成であり、第２の実施の形態の主制御基板２１０の端子２１０ａ〜２１０ｅと同様の端子２１０ａ〜２１０ｅが設けられている。
主制御回路２１１は、始動球検出信号や入賞球検出信号と、記憶回路２１２に記憶されている情報に基づいて、主コマンド信号を主制御信号として副制御回路４３１、払出制御回路３４１に出力する。
副制御基板４３０は、第３の実施の形態の副制御基板１３０の端子１３０ａ〜１１０ｄと同様の端子４３０ａ〜４３０ｄが設けられ、また、端子４３０ｅ〜４３０ｈが設けられている。入力端子４３０ｅ、４３０ｆには、それぞれ、枠開閉検出器１０５、扉開閉検出器１０６が接続されている。また、入力端子４３０ｅ、４３０ｆは、それぞれ、出力端子４４０ｇ、４５０ｈに接続されているとともに、副制御回路４３１に接続されている。
副制御回路４３１は、入力端子４３０ｄに入力された主コマンド信号と記憶回路４３２に記憶されている情報に基づいて、ＶＤＰ４３３、音源ＩＣ４３４、ランプ１６５等に副制御信号を出力する。
また、副制御回路４３１は、入力端子４３０ｅ及び４３０ｆに入力された枠開閉検出信号及び扉開閉検出信号に基づいて、内枠１０２の開閉状態及びガラス扉１０４の開閉状態を判別し、判別した内枠１０２の開閉状態及びガラス扉１０４の開閉状態に基づいて、第１の報知態様の報知の開始、第１の報知態様の報知の終了、第２の報知態様の報知の開始、第２の報知態様の報知の終了を決定する。そして、報知回路として設定されている装飾図柄表示装置１６２、スピーカ１６４、ランプ１６６のうちの少なくとも一つを制御し、第１の報知態様の報知あるいは第２の報知態様の報知を行う。第１の報知態様の報知の開始、第１の報知態様の報知の終了、第２の報知態様の報知の開始、第２の報知態様の報知の終了を決定する方法としては、前述した方法を用いることができる。
【００３６】
第４の実施の形態では、報知装置を制御する副制御回路４３１が配設されている副制御基板４３０の入力端子に枠開閉検出器１０５及び扉開閉検出器１０６を接続しているため、払出制御基板や主制御基板を取り替える必要がない。
【００３７】
以上の実施の形態では、枠開閉検出器１０５や扉開閉検出器１０６の検出信号は、払出制御基板、主制御基板、副制御基板と外部端子坂を介して、パチンコ機１００の外部（例えば、ホールコンピュータ等の管理回路）に出力されている。枠開閉検出器１０５や扉開閉検出器１０６は、接続線を介して払出制御基板、主制御基板、副制御基板に接続される。この場合、他の電子部品から発生した電磁波や遊技球の摺動によって発生した静電気等のノイズがこの接続線に乗って払出制御基板、主制御基板、副制御基板に進入し、このノイズによって、払出制御基板、主制御基板、副制御基板に配設されているＣＰＵ等が誤動作する虞がある。ノイズが接続線を介して払出制御基板、主制御基板、副制御基板に進入するのを防止するには、接続線の長さを短くするのが好ましい。しかしながら、接続線の長さを短くするには限界がある。
そこで、接続線を介して進入するノイズによる影響を低減することができる第５の実施の形態を図６に示す。図６は、外枠１０１に対する内枠１０２の開閉状態を検出する枠開閉検出器１０５の枠開閉検出信号を、払出制御基板１４０及び外部端子坂１５０を介して、遊技機１００の外部（例えば、ホールコンピュータ）に出力する場合を示している。
なお、内枠１０２に対するガラス扉１０４の開閉状態を検出する扉開閉検出器１０６の扉開閉検出信号を、払出制御基板１４０及び外部端子坂１５０を介して、遊技機１００の外部に出力する場合にも同様の方法を用いることができる。
第５の実施の形態のノイズ除去技術は、他の実施の形態にも適用することができる。
【００３８】
枠開閉検出器１０５は、電源側端子（第１の固定接点）１０５ａ、アース側端子（第２の固定接点）１０５ｂ、電源側端子１０５ａとアース側端子１０５ｂとの接続及び遮断を行う可動片（可動接点）１０５ｃを有している。本実施の形態では、可動片１０５ｃは、外枠１０１に対して内枠１０２が閉じている時（閉状態の時）には、電源側端子１０５ａとアース側端子１０５ｂが接続され、開いている時（開状態の時）には、電源端子１０５ａとアース側端子１０５ｃが遮断されるように、可動片１０５ｃが移動する。
そして、枠開閉検出器１０５と払出制御基板１４０は、接続線１０５Ａ、１０５Ｂによって接続される。接続線（電源側検出線）１０５Ａは、枠開閉検出器１０５の電源側端子１０５ａと払出制御基板１４０の電源側入力端子１４０ｃ１との間に接続され、接続線（アース側検出線）１０５Ｂは、枠開閉検出器１０５のアース側端子１０５ｂと払出制御基板１４０のアース側入力端子１４０ｃ２との間に接続される。
【００３９】
払出制御基板１４０の電源側入力端子１４０ｃ１と電源側出力端子１４０ｅ１の間には、電源側配線パターン１４４Ａを介してノイズ除去用の第１の抵抗１４５Ａが接続されている。第１の抵抗１４５Ａは、電源側入力端子１４０ｃ１に近接した位置に配設されている。
また、払出制御基板１４０のアース側入力端子１４０ｃ２とアース（接地）Ｅとの間には、アース用配線パターン１４４Ｂを介してノイズ除去用の第２の抵抗１４５Ｃ、抵抗１４６ａ、１４６ｂが直列に接続されている。第２の抵抗１４５Ｃは、アース側入力端子１４０ｃ２に近接した位置に配設されている。
第１の抵抗１４５Ａおよび第２の抵抗１４５Ｃは、「ノイズ除去手段」に対応する。
さらに、電源ＶｃｃとアースＥとの間には、配線パターンを介して抵抗１４６ｃとトランジスタ１４６ｄが直列に接続されている。トランジスタ１４６ｄのベース端子は、抵抗１４６ａと１４６ｂの接続点に接続されている。抵抗１４６ｃとトランジスタ１４６ｄの接続点は、払出制御回路１４１に接続される。
電源側配線パターン１４４Ａ、アース側配線パターン１４４Ｂは、「接続回路」に対応する。
【００４０】
外部端子坂１５０には、フォトモスリレー１５１、１５２が配設されている。なお、フォトモスリレー１５１と１５２は同じ構成であるため、フォトモスリレー１５１について説明する。
フォトモスリレー１５１は、発光手段と受光手段を有している。本実施の形態では、発光手段として発光ダイオード１５１ａを用い、受光手段としてフォトトランジスタ１５１ｂが用いられている。なお、フォトトランジスタは、一般的には、フォトダイオードとトランジスタによって構成される。
発光ダイオード１５１ａは、Ｖｃｃ電源と電源側入力端子１５０ａ１との間に接続されている。
また、電源側出力端子１５０ｃ１とアース側出力端子１５０ｃ２の間には、フォトトランジスタ１５１ｂが接続されている。
そして、外部端子坂１５０の電源側入力端子１５０ａ１と払出制御基板１４０の電源側出力端子１４０ｅ１の間には、接続線（電源側出力線）１５０Ａが接続されている。
【００４１】
外部端子坂１５０の電源側出力端子１５０ｃ１及びアース側出力端子１５０ｃ２から出力される枠開閉検出信号は、枠開閉検出器１０５の動作状態に応じて以下のように変化する。
内枠１０２が閉じている時（閉状態の時）には、電源側固定接点１０３ａとアース側固定接点１０５ｂが遮断される（オフ状態となる）。このため、発光ダイオード１５１ａへの電圧の印加が停止し、発光ダイオード１５１ａは光を放射しない。したがって、フォトトランジスタ１５１ｂがオフ状態となり、電源側出力端子１５０ｃ１は、内枠１０２が閉状態にあることを示す開放状態となる。
一方、内枠１０２が開いている時(開状態の時)には、電源側固定接点１０３ａとアース側固定接点１０５ｂが接続される（オン状態となる）。これにより、発光ダイオード１５１ａに電圧が印加されるため、発光ダイオード１５１ａが光を放射する。この場合、フォトトランジスタ１５１ｂが、発光ダイオード１５１ａから放射される光を受光するためオン状態となる。したがって、電源側出力端子１５０ｃ１は、内枠１０２が開状態にあることを示すアース（接地）電位となる。
【００４２】
上記のように、本実施の形態では、払出制御基板１４０の電源側検出端子１４０ｃ１と電源側出力端子１４０ｅ１が、払出制御基板１４０上に配設されている電源側配線パターン１４４Ａおよびノイズ除去用の第１の抵抗１４５Ａを介して接続されている。そして、第１の抵抗１４５Ａは、電源側検出端子１４０ｃ１に近接した位置に配設されている。
また、払出制御基板１４０のアース側検出端子１４０ｃ２とアースの間には、アース側配線パターン１４４Ｂとノイズ除去用の第２の抵抗１４５Ｃが配設されている。そして、第２の抵抗１４５Ｃは、アース側検出端子１４０ｃ２に近接した位置に配設されている。
ここで、第１の抵抗１４５Ａと払出制御基板１４０に配設されている電源側配線パターン１４４Ａの浮遊容量とによって、また、第２の抵抗１４５Ｃと払出制御基板１４０に配設されているアース側配線パターン１４４Ｂの浮遊容量とによって、ノイズを除去するノイズ除去回路が形成される。
これにより、枠開閉検出器１０５と払出制御基板１４０との間に接続されている電源側検出線１０５Ａやアース側検出線１０５Ｂに乗ったノイズが払出制御基板１４０に進入することを抑制することができ、払出制御基板１４０に配設されているＣＰＵ等の誤動作を防止することができる。
特に，本実施の形態では、第１の抵抗１４５Ａおよび第２の抵抗１４５Ｃを払出制御基板１４０の電源側入力端子１４０ｃ１およびアース側入力端子１４０ｃ２に近接した位置、すなわち、払出制御基板１４０の入口に配置しているため、ノイズの進入をより効果的に抑制することができる。
本実施の形態の技術を用いることにより、ノイズの進入を気にすることなく配線することが可能となる。例えば、ノイズ発生源となり得る他の電気回路を回避するような態様で配線を行う必要がなくなる。これにより、配線設計や配線作業が容易となる。
【００４３】
通常、発光ダイオードを用いる場合には、発光ダイオードを流れる電流の大きさを制限するための電流制限用の抵抗が設けられる。
本実施の形態では、ノイズ除去用として払出制御基板１４０に配設されている第１の抵抗１４５Ａおよび第２の抵抗１４５Ｃを、フォトモスリレー１５１を構成する発光ダイオード１５１ａの電流制限用の抵抗として用いることができる。この場合には、第１の抵抗１４５Ａおよび第２の抵抗１４５Ｃを、ノイズ除去用および発光ダイオード１５１ａの電流制限用として兼用することができる。これにより、フォトモスリレー１５１の発光ダイオード１５１ａの電流制限用抵抗を省略でき、あるいは、電流制限用抵抗として抵抗値が小さい抵抗を用いることができる。
【００４４】
第５の実施の形態では、払出制御基板１４０の入力端子（電源側入力端子１４０ｃ１、アース側入力端子１４０ｃ２）に近接する位置にノイズ除去用の抵抗を設けたが、出力端子に近接する位置にもノイズ除去用の抵抗を設けることもできる。出力端子に近接する位置にもノイズ除去用の抵抗を設けた第６の実施の形態を図７に示す。
本実施の形態では、払出制御基板１４０の電源側配線パターン１４４Ａに、電源側入力端子１４０ｃ１に近接する位置にノイズ除去用の第１の抵抗１４５Ａを設けているとともに、電源側出力端子１４０ｅ１に近接する位置にノイズ除去用の第３の抵抗１４５Ｂを設けている。すなわち、電源側配線パターン１４４Ａと電源側入力端子１４０ｅ１の間に、第３の抵抗１４５Ｂを設けている。その他の構成については、第５の実施の形態と同様である。
本実施の形態では、払出制御基板１４０の電源側配線パターン１４４Ａの電源側出力端子１４０ｅ１に近接した位置にノイズ除去用の第３の抵抗１４５Ｂが設けられているため、払出制御基板１４０と外部端子板１５０を接続する接続線（電源側出力線）１５０Ａに乗ったノイズが払出制御基板１４０に進入するのを抑制することができる。すなわち、本実施の形態では、電源側入力端子１４０ｃ１と電源側出力端子１４０ｅ１の両方に対して、ノイズの進入を抑制することができる。
【００４５】
第６の実施の形態では、電源側入力端子および電源側出力端子に近接する位置それぞれにノイズ除去用の抵抗を設けることによって電源側入力端子および電源側出力端子の両方からのノイズの進入を抑制したが、一つの抵抗によって電源側入力端子および電源側出力端子の両方からのノイズの進入を抑制することもできる。一つの抵抗によって電源側入力端子および電源側出力端子の両方からのノイズの進入を抑制することもできる第７の実施の形態を図８に示す。
本実施の形態では、電源側入力端子１４０ｃ１と電源側出力端子１４０ｅ１を、互いに隣接するように近接して払出制御基板１４０に配設している。例えば、複数の入力端子を有する入力用コネクタと複数の出力端子を有する出力用コネクタを隣接して配設するとともに、入力用コネクタおよび出力用コネクタのそれぞれに設定される複数の端子のうち、最も近接した位置関係にある入力端子と出力端子を、それぞれ枠開閉検出器１０５（または扉開閉検出器１０６）の電源用入力端子と電源用出力端子として設定する。
本実施の形態では、電源側入力端子１４０ｃ１と電源側出力端子１４０ｅ１を接続する電源側配線パターン１４４Ａを短くすることができる。このため、１つの抵抗１４５Ａによって、電源側入力線１０５Ａおよび電源側出力線１５０Ａからのノイズの進入を抑制することが可能となり、合理的である。また、電源側配線パターン１４４Ａが短くなることで、ノイズの放射領域が少なくなり、電源側入力線１０５Ａおよび電源側出力線１５０Ａからノイズが払出制御基板１４０に進入したとしても、当該ノイズによるＣＰＵ等への影響を極力低減することができる。更には、電源側配線パターン１４４Ａが短くなることで、払出制御基板１４０にＣＰＵ等を配設する際に邪魔にならず、当該電気回路を容易に配設することが可能となる。
【００４６】
なお、第５〜第７の実施の形態では、外部端子板１５０側から払出制御基板１４０側へ電流が流れるように構成したが、払出制御基板１４０側から外部端子板１５０側へ電流が流れるように構成することもできる。この場合、発光ダイオード１５１ａは、電流が流れる方向が図７〜図９と逆になるように接続される。このような構成にすると、外部端子板接続線１５０が接地された場合に発光ダイオード１５１ａに過電流が流れないため、発光ダイオード１５１ａの損傷を防止することができる。
【００４７】
以上の実施の形態では、扉開閉検出信号がガラス扉１０４が閉状態にあることを示し、枠開閉検出信号が内枠１０２が開状態にあることを示した場合、あるいは、扉開閉検出信号がガラス扉１０４が開状態にあることを示し、枠開閉検出信号が内枠１０２が開状態にあることを示していることを判別した場合に、第１の報知態様の報知を行い、枠開閉検出信号が内枠１０２が閉状態にあることを示し、扉開閉検出信号がガラス扉１０４が開状態にあることを示していることを判別した場合に、第２の報知態様の報知を行ったが、少なくとも、扉開閉検出信号がガラス扉１０４が閉状態にあることを示し、枠開閉検出信号が内枠１０２が開状態にあることを示していることを判別した場合に第１の報知態様の報知を行い、枠開閉検出信号が内枠１０２が閉状態にあることを示し、扉開閉検出信号がガラス扉１０４が開状態にあることを示していることを判別した場合に第２の報知態様の報知を行うものであればよい。また、扉開閉検出信号がガラス扉１０４が閉状態にあることを示し、枠開閉検出信号が内枠１０２が開状態にあることを示していることを判別した場合には第１の報知態様の報知を行い、枠開閉検出信号が内枠１０２が閉状態にあることを示し、扉開閉検出信号がガラス扉１０４が開状態にあることを示していることを判別した場合には第２の報知態様を報知し、枠開閉検出信号が内枠１０２が開状態にあることを示し、扉開閉検出信号がガラス扉１０４が開状態にあることを示していることを判別した場合には第３の報知態様の報知を行うように構成することもできる。
また、報知を開始する時の第１の設定期間、報知を終了する時の第２の設定期間は、各報知態様に対して同じ設定期間を設定することもできるし、各報知態様に対して異なる設定期間を設定することもできる。
【００４８】
本発明は、上記した実施の形態に限定されるものではなく、その要旨を逸脱しない範囲内で変更、追加、削除が可能である。
第２開閉部材であるガラス扉１０４の開閉状態を検出する扉開閉検出器１０５や第１開閉部材である内枠１０２の開閉状態を検出する枠開閉検出器１０６としては、種々の形式の検出器を用いることができる。
各実施の形態で用いている技術は、単独で用いることもできるし、複数を組み合わせて用いることもできる。
本発明をパチンコ機１００として構成した場合について説明したが、本発明は、パチンコ機以外の種々の型式の遊技機として構成することができる。
【００４９】
本発明は、以下のように構成することもできる。
例えば、「（態様１）請求項１の遊技機であって、前記報知制御回路は、前記扉開閉検出信号が前記ガラス扉が閉状態にあることを示し、前記枠開閉検出信号が前記内枠が開状態にあることを示している間、前記報知装置により前記第１の報知態様の報知が行われるように前記報知装置を制御し、前記枠開閉検出信号が前記内枠が閉状態にあることを示し、前記扉開閉検出信号が前記ガラス扉が開状態にあることを示している間、前記報知装置により前記第２の報知態様の報知が行われるように前記報知装置を制御することを特徴とする遊技機。」として構成することができる。
【００５０】
本発明では、扉開閉検出信号がガラス扉が閉状態にあることを示し、枠開閉検出信号が内枠が開状態にあることを示している間、報知装置により第１の報知態様の報知を行い、枠開閉検出信号が内枠が閉状態にあることを示し、扉開閉検出信号がガラス扉が開状態にあることを示している間、報知装置により第２の報知態様の報知を行う。
本発明では、遊技機に設けられている報知装置の報知態様を確認することによって、内枠が開放されていること及びガラス扉が開放されていることを判別することができる。これにより、遊技店の係員等は、内枠の開放時及びガラス扉の開放時に対応して適切に対処することができる。
【００５１】
また、「（態様２）請求項１の遊技機であって、前記報知制御回路は、前記扉開閉検出信号が前記ガラス扉が開状態にあることを示し、前記枠開閉検出信号が前記内枠が開状態にあることを示した場合には、前記報知装置により前記第１の報知態様の報知が行われるように前記報知装置を制御することを特徴とする遊技機。」として構成することができる。
【００５２】
本発明では、扉開閉検出信号がガラス扉が閉状態にあることを示し、枠開閉検出信号が内枠が開状態にあることを示した場合、あるいは、扉開閉検出信号がガラス扉が開状態にあることを示し、枠開閉検出信号が内枠が開状態にあることを示した場合には第１の報知態様の報知を行い、枠開閉検出信号が内枠が閉状態にあることを示し、扉開閉検出信号がガラス扉が開状態にあることを示した場合には第２の報知態様の報知を行う。
本実施の形態では、内枠が開放されていることを優先的に報知するため、遊技店の係員等は遊技の状態を容易に判別することができる。
【００５３】
また、「（態様３）態様２の遊技機であって、前記報知制御回路は、前記扉開閉検出信号が前記ガラス扉が閉状態にあることを示し、前記枠開閉検出信号が前記内枠が開状態にあることを示している間、あるいは、前記扉開閉検出信号が前記ガラス扉が開状態にあることを示し、前記枠開閉検出信号が前記内枠が開状態にあることを示している間、前記報知装置により前記第１の報知態様の報知が行われるように前記報知装置を制御し、前記枠開閉検出信号が前記内枠が閉状態にあることを示し、前記扉開閉検出信号が前記ガラス扉が開状態にあることを示している間、前記報知装置により前記第２の報知態様が行われるように前記報知装置を制御することを特徴とする遊技機。」として構成することができる。
【００５４】
本発明では、扉開閉検出信号がガラス扉が閉状態にあることを示し、枠開閉検出信号が内枠が開状態にあることを示している間、あるいは、扉開閉検出信号がガラス扉が開状態にあることを示し、枠開閉検出信号が内枠が開状態にあることを示している間、第１の報知態様の報知を行い、枠開閉検出信号が内枠が閉状態にあることを示し、扉開閉検出信号がガラス扉が開状態にあることを示している間、第２の報知態様の報知を行う。
本発明では、遊技機に設けられている報知装置の報知態様を確認することによって、内枠が開放されていること、ガラス扉のみが開放されていることを判別することができる。これにより、遊技店の係員等は、内枠の開放時及びガラス扉の開放時に対応して適切に対処することができる。
【００５５】
また、「（態様４）請求項１の遊技機であって、前記報知制御回路は、前記扉開閉検出信号が前記ガラス扉が開状態にあることを示し、前記枠開閉検出信号が前記内枠が開状態にあることを示した場合には、前記報知装置により前記第１の報知態様及び前記第２の報知態様と異なる第３の報知態様の報知が行われるように前記報知装置を制御することを特徴とする遊技機。」として構成することができる。
【００５６】
本発明では、扉開閉検出信号がガラス扉が閉状態にあることを示し、枠開閉検出信号が内枠が開状態にあることを示した場合には第１の報知態様の報知を行い、枠開閉検出信号が内枠が閉状態にあることを示し、扉開閉検出信号がガラス扉が開状態にあることを示した場合には第２の報知態様の報知を行い、枠開閉検出信号が内枠が開状態にあることを示し、扉開閉検出信号がガラス扉が開状態にあることを示した場合には第３の報知態様の報知を行う。なお、報知の優先順位は、第１の報知態様の報知、第３の報知態様の報知、第２の報知態様の報知の順に設定するのが好ましい。
本実施の形態では、遊技機に設けられている報知装置の報知を確認することによって、遊技機の内枠やガラス扉の開閉状態を容易に判別することができる。
【００５７】
また、「（態様５）態様４の遊技機であって、前記報知制御回路は、前記扉開閉検出信号が前記ガラス扉が閉状態にあることを示し、前記枠開閉検出信号が前記内枠が開状態にあることを示している間、前記報知装置により前記第１の報知態様の報知が行われるように前記報知装置を制御し、前記枠開閉検出信号が前記内枠が閉状態にあることを示し、前記扉開閉検出信号が前記ガラス扉が開状態にあることを示している間、前記報知装置により前記第２の報知態様の報知が行われるように前記報知装置を制御し、前記扉開閉検出信号が前記ガラス扉が開状態にあることを示し、前記枠開閉検出信号が前記内枠が開状態にあることを示している間、前記報知装置により前記第３の報知態様の報知が行われるように前記報知装置を制御することを特徴とする遊技機。」として構成することができる。
【００５８】
本発明では、扉開閉検出信号がガラス扉が閉状態にあることを示し、枠開閉検出信号が内枠が開状態にあることを示している間、第１の報知態様の報知を行い、枠開閉検出信号が内枠が閉状態にあることを示し、扉開閉検出信号がガラス扉が開状態にあることを示している間、第２の報知態様の報知を行い、枠開閉検出信号が内枠が開状態にあることを示し、扉開閉検出信号がガラス扉が開状態にあることを示している間、第３の報知態様の報知を行う。
本発明では、遊技機に設けられている報知装置の報知態様を確認することによって、内枠のみが開放されていること、ガラス扉のみが開放されていること、内枠及びガラス扉が開放されていることを容易に判別することができる。これにより、遊技店の係員等は、遊技機の状態に対応して適切に対処することができる。
【００５９】
また、「（態様）請求項１、態様１〜５のいずれかの遊技機であって、前記報知制御回路は、前記枠開閉検出信号と前記扉開閉検出信号に基づいて、前記報知装置により前記第１の報知態様あるいは前記第２の報知態様あるいは前記第３の報知態様の報知が行われるように前記報知装置を制御することを決定した場合には、少なくとも第１の設定期間の間前記報知装置により前記第１の報知態様あるいは前記第２の報知態様あるいは前記第３の報知態様の報知が行われるように前記報知装置を制御することを特徴とする遊技機。」として構成することができる。
【００６０】
内枠あるいはガラス扉を開けた後、直ちに枠開閉検出器あるいは扉開閉検出器が不正に操作されると、報知装置による報知が行われないか、短時間しか行われない虞がある。
本発明では、報知制御回路は、枠開閉検出信号と扉開閉検出信号に基づいて、第１の報知態様あるいは第２の報知態様あるいは第３の報知態様の報知を行うことを決定した場合には、少なくとも第１の設定期間の間、第１の報知態様あるいは第２の報知態様あるいは第３の報知態様の報知を行う。
本発明では、内枠あるいはガラス扉を開けた後、直ちに枠開閉検出器あるいは扉開閉検出器が不正に操作された場合でも、少なくとも第１の設定期間の間は報知装置による報知が行われるため、遊技店の係員等は、報知装置による報知を確実に確認することができる。
【００６１】
また、「（態様７）請求項１、態様１〜６のいずれかの遊技機であって、前記報知制御回路は、前記枠開閉検出信号と前記扉開閉検出信号に基づいて、前記報知装置により前記第１の報知態様あるいは前記第２の報知態様あるいは前記第３の報知態様の報知が行われないように前記報知装置を制御することを決定した場合には、第２の設定期間の間前記報知装置により前記第１の報知態様あるいは前記第２の報知態様あるいは前記第３の報知態様の報知が行われた後、前記第１の報知態様あるいは前記第２の報知態様あるいは前記第３の報知態様の報知が行われないように前記報知装置を制御することを特徴とする遊技機。」として構成することができる。
【００６２】
内枠あるいはガラス扉を開けた後、直ちに枠開閉検出器あるいは扉開閉検出器が不正に操作された場合には、報知装置による報知が行われないか、短時間しか行われない虞がある。
本発明では、報知制御回路は、枠開閉検出信号と扉開閉検出信号に基づいて、第１の報知態様あるいは第２の報知態様あるいは第３の報知態様の報知を終了することを決定した場合には、第１の報知態様あるいは第２の報知態様あるいは第３の報知態様の報知を第２の設定期間継続した後に報知を修了する。
これにより、内枠あるいはガラス扉を開けた後、直ちに枠開閉検出器あるいは扉開閉検出器が不正に操作された場合でも、第２の設定期間の間報知装置による報知が継続されるため、遊技店の係員等は、報知装置による報知を確実に確認することができる。
【００６３】
また、「（態様８）請求項１、態様１〜７のいずれかの遊技機であって、表示装置、音発生装置及び光発生装置のうちの少なくとも一つにより構成される遊技用機器と、遊技状態に応じて前記遊技用機器を制御する遊技用機器制御回路を備え、前記報知装置を構成する表示装置、音発生装置及び光発生装置のうちの少なくとも一つとして、前記遊技用機器を構成する表示装置、音発生装置及び光発生装置のうちの少なくとも一つが用いられ、前記報知制御回路として、前記遊技用機器制御回路が用いられていることを特徴とする遊技機。」として構成することができる。
【００６４】
本発明では、報知装置を構成する表示装置、音発生装置及び光発生装置のうちの少なくとも一つとして、遊技機に設けられている遊技用機器を構成する表示装置、音発生装置、光発生装置のうちの少なくとも一つとして、遊技機に設けられている遊技用機器を用い、報知制御回路として、遊技用機器を制御する遊技用機器制御回路を用いている。
本発明では、追加の装置を必要とせずに報知を行うことができる。
【００６５】
また、「（態様９）請求項１、態様１〜８のいずれかの遊技機であって、遊技用機器と、前記遊技用機器を制御する制御回路と、前記制御回路が配設されている制御基板と、前記枠開閉検出信号及び前記扉開閉検出信号を外部に出力する外部端子板を備え、前記枠開閉検出器は、枠開閉検出信号を出力する第１の端子と第２の端子を有し、前記扉開閉検出器は、扉開閉検出信号を出力する第１の端子と第２の端子を有し、前記外部端子板は、第１の入力端子と第２の入力端子を有し、前記制御基板は、前記枠開閉検出器の第１の端子、第２の端子それぞれに接続される第１の入力端子、第２の入力端子と、前記扉開閉検出器の第１の端子、第２の端子それぞれに接続される第３の入力端子、第４の入力端子と、前記外部端子板の第１の入力端子、第２の入力端子それぞれに接続される第１の出力端子、第２の出力端子と、前記第１の入力端子と前記第１の出力端子を接続する第１の電源側配線パターンと、前記第２の入力端子とアースを接続する第１のアース側配線パターンと、前記第３の入力端子と前記第２の出力端子を接続する第２の電源側配線パターンと、前記第４の入力端子とアースを接続する第２のアース側配線パターンと、前記第１の電源側配線パターンの前記第１の入力端子に近接した位置あるいは前記第１の出力端子に近接した位置の少なくとも一方に設けられた第１のノイズ除去手段と、前記第１のアース側配線パターンの前記第２の入力端子に近接した位置に設けられた第２のノイズ除去手段と、前記第２の電源側配線パターンの前記第３の入力端子に近接した位置あるいは前記第２の出力端子に近接した位置の少なくとも一方に設けられた第３のノイズ除去手段と、前記第２のアース側配線パターンの前記第４の入力端子に近接した位置に設けられた第４のノイズ除去手段を有していることを特徴とする遊技機。」として構成することができる。
【００６６】
本発明では、枠開閉検出信号及び扉開閉検出信号を制御基板を介して外部端子坂に出力する場合に、制御基板に設けられている、入力端子と出力端子を接続する電源側配線パターンの入力端子に近接する位置あるいは出力端子に近接する位置の少なくとも一方、アース側配線パターンの入力端子に近接する位置にノイズ除去手段を設けている。
これにより、制御基板に配設されている電源側配線パターンあるいはアース側配線パターンに入力端子側あるいは出力端子側からノイズが進入するのを防止することができる。
【図面の簡単な説明】
【００６７】
【図１】パチンコ機の全体を示す斜視図である。
【図２】第１の実施の形態の概略ブロック図である。
【図３】第２の実施の形態の概略ブロック図である。
【図４】第３の実施の形態の概略ブロック図である。
【図５】第４の実施の形態の概略ブロック図である。
【図６】第５の実施の形態の要部ブロック図である。
【図７】第６の実施の形態の要部ブロック図である。
【図８】第７の実施の形態の要部ブロック図である。
【符号の説明】
【００６８】
１００  パチンコ機
１０１  外枠（支持部）
１０２  内枠（第１の開閉部）
１０３  遊技盤
１０４  ガラス扉（第２の開閉部）
１０５  扉開閉検出器（第１の検出器）
１０５ａ  電源側端子（第１固定端子）
１０５ｂ  アース側端子（第２固定端子）
１０５ｃ  可動片（可動端子）
１０５Ａ、１０５Ｂ  接続線
１０６  枠開閉検出器（第２の検出器）
１０７  始動球検出器
１０８  入賞球検出器
１１０、２１０、３１０主制御基板
１１０ａ〜１１０ｇ、１３０ａ〜１３０ｄ、１４０ａ〜１４０ｈ、１４０ｃ１、１４０ｃ２、１４０ｅ１、１５０ａ１、１５０ｃ１、１５０ｃ２、２１０ａ〜２１０ｅ、２４０ａ〜２４０ｆ、３１０ａ〜３１０ｅ、３１０ｈ〜３１０ｋ、３４０ａ、３４０ｂ、４３０ａ〜４１０ｈ  端子
１１２、１３２、１４２、２１２、２４２、３１２、３４２、４３２  記憶回路
１１１、２１１、３１１  主制御回路
１２０  中継端子板
１３０、５３０  副制御基板
１３１、４３１  副制御回路
１３３、４３３  音源ＩＣ
１３４、４３４  ＶＤＰ
１４０、２４０、３４０  払出制御基板
１４１、２４１、３４１  払出制御回路
１４５Ａ、１４５Ｂ、１４５Ｃ  抵抗（ノイズ除去手段）
１４６ａ〜１４６ｃ  抵抗
１４６ｄ  トランジスタ
１５０  外部端子板
１５１、１５２  フォトモスリレー
１５１ａ  発光ダイオード
１５１ｂ  フォトトランジスタ
１６１  特別図柄表示装置
１６２  装飾図柄表示装置
１６３  払出装置
１６４  スピーカ
１６５  ランプ（ＬＥＤ）
【図１】
2008048862.tif 000003
【図２】
2008048862.tif 000004
【図３】
2008048862.tif 000005
【図４】
2008048862.tif 000006
【図５】
2008048862.tif 000007
【図６】
2008048862.tif 000008
【図７】
2008048862.tif 000009
【図８】
2008048862.tif 000010